(57)【要約】【課題】  一つの弁体でバランス便皿と取水口部の橋渡しと取水口部の開閉を兼務可能にすることにより、屎尿を便槽に、洗浄水を取水口部に、それぞれ分離して回収でき、ボウル面を十分な量の洗浄水で洗浄して綺麗にできるトイレ装置を提供すること。【解決手段】  便器２のボウル面２ａの便落ち口部２ｂ下にバランス便皿３を、後側の軸支部３ａを支点として先側の便皿部３ｂが閉じ位置の略水平状態から開き位置の略垂下状態までの間を揺動可能に配設し、このバランス便皿３が揺動して開閉動作可能な空間Ｓを形成している排便管４における便皿部３ｂ先端側の側壁面部４ａに取水口部５を便落ち口部２ｂよりも下位に開口し、取水口部５の下縁に弁体６を、取水口部５を閉じ可能な略起立状態と、バランス便皿３を斜め下向きの半開状態に受け止めて便皿部３ｂと取水口部５間を連通状に橋渡し可能な略水平状態〜斜め上向き状態とに揺動可能に軸支してある。【選択図】  図１
0003117274.tif 000002
【実用新案登録請求の範囲】
【請求項１】
便器のボウル面の便落ち口部下にバランス便皿を、後側の軸支部を支点として先側の便皿部が閉じ位置の略水平状態から開き位置の略垂下状態までの間を揺動可能に配設し、
このバランス便皿が揺動して開閉動作可能な空間を形成している排便管における前記便皿部先端側の側壁面部に取水口部を前記便落ち口部よりも下位に開口し、
取水口部の下縁に弁体を、当該取水口部を閉じ可能な略起立状態と、バランス便皿を斜め下向きの半開状態に受け止めて便皿部と取水口部間を連通状に橋渡し可能な略水平状態〜斜め上向き状態とに揺動可能に軸支してあることを特徴とするトイレ装置。
【考案の詳細な説明】
【技術分野】
【０００１】
本考案は、屎尿と洗浄水を効率よく分離可能にすることで、ボウル面を十分な水量の洗浄水で洗浄可能な水洗装置として有用なトイレ装置に関する。
【背景技術】
【０００２】
本考案者は、特許文献１〜３に開示されているように、屎尿と洗浄水を分離し、屎尿は便槽に集め、洗浄水は分離回収する簡易水洗便器を開発し提案してきた。
これらの設計思想は、少量の洗浄水で便器を洗って回収し、屎尿は便槽に落とすというものである。
水洗トイレとして従来使われている陶器製の水洗便器は、便器ボウル面から通じる水路に防臭トラップを持ち、そのまま管路に接続されるために、一旦排便された屎尿は洗浄水と混合され分離することはできなかった。
この点、簡易水洗便器は、屎尿と洗浄水を便槽に貯留するために大量の洗浄水を使えず、汚物を便槽に搬送し且つ便器ボウル面を洗浄する２００〜３００ccの僅かな水を使い、残水をボウル面直下の便皿で貯溜し、少量の水で水封防臭する構造を持っている。
したがって、水洗便器と違い、この便皿を利用すれば、屎尿と洗浄水を分離できる唯一の便器になる。
【０００３】
もう１つの簡易水洗便器の課題は、便槽容量の限度を考えると少量の水しか流せないため、水洗便器に比較するとやはり洗浄力が劣ることであった。一般家庭では主婦の努力に頼れるが、不特定多数の使用者を対象にする仮設便所等では問題があった
本考案者はこの問題を解決するために、屎尿は便槽に落とし、便器のボウル面を洗った洗浄水のみを分離し、水洗便器同様に１０リットル程度の多量の水でボウル面を十分に洗浄することを考えた。また、その水は屎尿水ではないので、土壌に浸透させたり滅菌して放流したりする他、簡単な濾過、滅菌の上、洗浄水として循環再利用することを考え、これを特許文献４，５で開示している。
【０００４】
浄化槽や下水道の普及していない地域では未だ汲み取り便槽と簡易水洗便器が使われており、簡易水洗便器の洗浄力の不足が解決されれば、その使用感は水洗便器と変わらないものとなる。
この点は、広く使われている仮設トイレについてもいえることで、工事現場はともかくとしてイベント用のトイレでも同じものが使われており、汲み取り式仮設便所であっても水洗トイレと同程度の洗浄感を期待する要求は大きい。
本考案者が洗浄水分離便器に着手した頃は洗浄水を分離して土壌で処理したり、当時の単独浄化槽の放流基準値以下で放流することを考えていたが、現在は省資源、省エネルギーが最大のテーマになっている。
したがって、完全に屎尿を分離し、洗浄水として循環利用することが、環境保全の意味からも大切なことになっている。
【０００５】
【特許文献１】特公昭６１−１５７９号
【特許文献２】特公昭６１−４０９２４号
【特許文献３】特公昭６２−３８５００号
【特許文献４】特願平８−３１１３６号
【特許文献５】特願平１０−２０５７４４号
【考案の開示】
【考案が解決しようとする課題】
【０００６】
解決しようとする課題は、一つの弁体でバランス便皿と取水口部の橋渡しと取水口部の開閉を兼務可能にすることにより、屎尿を便槽に、洗浄水を取水口部に、それぞれ分離して回収でき、ボウル面を十分な量の洗浄水で洗浄して綺麗にできる簡易水洗装置として有用なトイレ装置を提供することにある。
【課題を解決するための手段】
【０００７】
本考案は前記の課題を解決するために、便器のボウル面の便落ち口部下にバランス便皿を、後側の軸支部を支点として先側の便皿部が閉じ位置の略水平状態から開き位置の略垂下状態までの間を揺動可能に配設し、このバランス便皿が揺動して開閉動作可能な空間を形成している排便管における前記便皿部先端側の側壁面部に取水口部を前記便落ち口部よりも下位に開口し、取水口部の下縁に弁体を、当該取水口部を閉じ可能な略起立状態と、バランス便皿を斜め下向きの半開状態に受け止めて便皿部と取水口部間を連通状に橋渡し可能な略水平状態〜斜め上向き状態とに揺動可能に軸支してあることを特徴とする。
【０００８】
本考案におけるバランス便皿は、軸支部を境とする先側の便皿部と後端の錘部との重量バランスを、便皿部よりも錘部が若干重くて、排便管下方の便槽側からの臭気を止めるために便皿部に若干の水を貯えて便落ち口部を閉じて水封した状態でつり合うように形成してあり、屎尿や洗浄水等が加重されると揺動して開き、かかる屎尿や洗浄水等による負荷がなくなると復動して閉じ得るものであればよい。
弁体は、取水口部を閉じ可能な略起立状態と、バランス便皿を斜め下向きの半開状態に受け止めて便皿部と取水口部間を連通状に橋渡し可能な略水平状態〜斜め上向き状態とに揺動可能なものであればよい。この弁体は、取水口部を閉じ可能であると共に洗浄水を便皿部から取水口部に誘導するのに適した形態であるのが望ましく、また、バランス便皿を斜め下向きの半開状態に受け止められる強度を有するものになる。
この弁体の揺動操作は、ハンドル等による手動タイプであってもよいし、電動タイプのものであってもよい。電動タイプである場合、駆動要素は、弁体を前記した位置すなわち略起立状態あるいは略水平状態〜斜め上向き状態に揺動可能であればよく、ステッピングモーターやソレノイド等が挙げられる。また、弁体は、取水口部を閉じた略起立状態または便皿部と取水口部間を連通状に橋渡し可能な略水平状態〜斜め上向き状態に停止してロックされるようにしてもよい。ロック手段としては、たとえばソレノイド等の駆動手段と連動しているストッパーで弁体をロックするようにしてもよい。また、弁体を略水平状態〜斜め上向き状態に受け止め可能なストッパーを排便管に形成するようにしてもよい。
【０００９】
また、自動タイプのものでは、使用者を感知して自動運転するようにしてもよい。たとえば、弁体は、センサーが用便エリア（使用者が用便のために便器の前に立ったり便座に座ったりした状態の範囲を指す）内に使用者を感知できない間および用便エリア内に使用者を感知している間は取水口部を閉じ、使用者が用便エリア内から離れてセンサーが使用者を感知できなくなると揺動して取水口部を開いて略水平状態〜斜め上向き状態に停止し、給水装置からボウル面に給水されて便皿部に流れ落ちる洗浄水を取水口部に向けて案内可能にする。
給水装置は、弁体が略水平状態〜斜め上向き状態に停止した後、ボウル面上縁の吐水口部からボウル面を十分に洗浄可能な量の洗浄水をボウル面に給水運転可能にする。そして、弁体と給水装置が適時自動運転するように操作装置で制御することにより、ボウル面を十分に洗浄可能な量の洗浄水をバランス便皿および弁体を経て取水口部から自動回収可能になる。
【００１０】
また給水装置は、洗浄水の濾過装置を経て取水口部と連通させることで、この取水口部から回収されて浄化された後の洗浄水を給水装置に還流可能に形成してもよいし、そうでなくてもよい。たとえば、取水口部から回収される洗浄水の一部あるいは全てを公知の土壌処理するようにしてもよい。
濾過装置は、洗浄水を濾過・殺菌して循環再使用するタイプでもよいし、濾過・殺菌して放流するタイプのものであってもよい。
操作装置は、ボウル面の自動洗浄から屎尿と洗浄水の自動分離・回収そして取水口部を自動閉口する自動水洗装置として、各要素および各装置が適時運転するようなプログラムを設定可能なマイコン等になる。
【考案の効果】
【００１１】
Ａ．請求項１により、不使用中の間はバランス便皿が便落ち口部を閉じて臭気が漏れ出ず、使用中はバランス便皿が屎尿を加重されることで開いて屎尿が便槽内に落下するのを妨げない。この使用中の間、取水口部は弁体で閉じられるため、尿が排便管内を飛び散っても取水口部に流入するようなことがない。
そして、用便後には弁体を略起立状態から略水平状態〜斜め上向き状態に揺動させることで、取水口部を開くと共にバランス便皿を斜め下向きの半開状態に受け止め且つバランス便皿と取水口部を連通状に橋渡しする態勢を整えることにより、ボウル面に給水された洗浄水をボウル面から便落ち口部下に流れ落ちさせて半開状態のバランス便皿から弁体を経て取水口部に流入させることができる。
したがって、ボウル面を洗浄するのに十分な量の洗浄水でボウル面を綺麗に洗浄でき、この洗浄水をバランス便皿そして弁体を経て取水口部より回収することができるので、屎尿を便槽に、洗浄水を取水口部に、それぞれ分離して回収でき、屎尿と洗浄水を分離する水洗装置として有用であり、一般住宅や仮設トイレに好適である。
また、洗浄水の取水口部がボウル面上から男子小便中にも見えないように弁体で閉口されているため、見掛けもよく、商品価値が損なわれない。
【考案を実施するための最良の形態】
【００１２】
図１〜図３には本考案のトイレ装置における実施の１形態を例示しており、躯体１の床１ａ上に設置された洋式便器２におけるボウル面２ａの便落ち口部２ｂ下にはバランス便皿３を、後側の軸支部３ａを支点として先側の便皿部３ｂが便落ち口部２ｂに対して水平状の閉じ位置と垂下状の全開位置との間を揺動可能に備えてある。
バランス便皿３は、便皿部３ｂを僅かの水で便落ち口部２ｂを水封可能な皿状に形成してある。
このバランス便皿３が揺動して開閉動作可能な空間Ｓを形成している排便管４内における便皿部３ｂ先端側の側壁面部４ａには取水口部５を便落ち口部２ｂよりも下位に開口し、取水口部５の下縁には弁体６を、当該取水口部５を閉じ可能な略起立状態と、バランス便皿３を斜め下向きの半開状態に受け止めて便皿部３ｂと取水口部５間を連通状に橋渡し可能な略水平状態〜斜め上向き状態とに揺動可能に軸支してある。
【００１３】
弁体６は、取水口部５下縁の軸支部６ａ側を除く三方の側縁に立ち上がり部６ｂを有する大略四角皿状に形成してあり、軸６ｃに軸着されているリンク７を経てステッピングモーター８の駆動力を受けることで、略起立状態と略水平状態〜斜め上向き状態とに揺動するようにしてある。
この弁体６は、略起立状態では取水口部５を閉じる一方でバランス便皿３の開閉動作を妨げず、略水平状態〜斜め上向き状態では取水口部５を開く一方でバランス便皿３を半開状態に受け止めて、便皿部３ｂと取水口部５間を連通状に橋渡して、洗浄水が便皿部３ｂ上から弁体６上を流れて取水口部５に流入可能に形成してある。
また、弁体６は、排便管４内面に設けた段状のストッパー９で弁体６を略水平状態〜斜め上向き状態に受け止め可能に形成してある。
【００１４】
取水口部５と送水管１０を経て連通している給水装置１１は、タンク１２内に流入した洗浄水をポンプ１３で汲み上げてボウル面２ａ上縁の吐水口部１４からボウル面２ａに給水することで、洗浄水を循環させて洗浄運転するようにしてある。
【００１５】
次に、使用状態について説明すると、不使用時には、バランス便皿３は便落ち口部２ｂに当接した閉じ位置に停止し、便落ち口部２ｂは水封されていて、便槽１５内の臭気が屋内に漏れ出ることがない。取水口部５は弁体６で閉じられている（図１参照）。
使用時には、屎尿が便落ち口部２ｂを通過することで、屎尿の荷重を受けるたびにバランス便皿３は略垂下状に開動を繰り返し、屎尿が排便管４を経て便槽１５内に落ちる（図２参照）。
使用後には、ボウル洗浄のためにスイッチ（図示セズ）をＯＮすることで、ステッピングモーター８の駆動により弁体６は起立状態からストッパー９で受け止められた斜め上向き状態まで揺動し、取水口部５が開かれる一方でバランス便皿３を半開状態に受け止め且つバランス便皿３と取水口部５間を橋渡しする態勢が整えられる。
次いで、給水装置１１が運転開始することにより、タンク１２内から洗浄水がポンプ１３で汲み上げられてボウル面２ａに給水される。そして、洗浄水は吐水口部１４からボウル面２ａに流出して洗浄した後に便落ち口部２ｂに流れ落ち、この洗浄水の荷重を受けることでバランス便皿３が開動して弁体６に受け止められた半開状態になる。それにより、洗浄水はバランス便皿３上面から弁体６上面を伝って取水口部５に流れ込み、送水管１０を経てタンク１２内に流入する（図３参照）。
【００１６】
前記した態様では洋式便器の例で説明したが、これに限定されず、図４に例示した和式便器タイプのものもあり、便器が洋式であるか和式であるかの違いを除けば構成は同一であるため、符合を準用することで説明を省略する。
また、図４の和式便器タイプのものにおける不使用時、使用時、使用後の各状態は前記した洋式便器タイプのものと同一であるため説明を省略する。
【図面の簡単な説明】
【００１７】
【図１】本考案のトイレ装置における実施の１形態を例示している縦断面図。
【図２】用便時の縦断面図。
【図３】ボウル面洗浄時の縦断面図
【図４】本考案のトイレ装置における実施の他の１形態を例示している縦断面図。
【符号の説明】
【００１８】
１  躯体
１ａ  床
２  便器
２ａ  ボウル面
２ｂ  便落ち口部
３  バランス便皿
３ａ  軸支部
３ｂ  便皿部
４  排便管
４ａ  側壁面部
５  取水口部
６  弁体
６ａ  軸支部
６ｂ  立ち上がり部
６ｃ  軸
７  リンク
８  ステッピングモーター
９  ストッパー
１０  送水管
１１  給水装置
１２  タンク
１３  ポンプ
１４  吐水口部
１５  便槽
Ｓ  空間
【図１】
0003117274.tif 000003
【図２】
0003117274.tif 000004
【図３】
0003117274.tif 000005
【図４】
0003117274.tif 000006